(57)【要約】【課題】ポイント管理装置本体の小型化とともに設置スペースの削減を図る。【解決手段】ポイント管理装置１は、ポイントカード１０の固有の情報を読み取るカードリーダ（カードリーダライタ１００ａ）を備えた装置本体部１００と、装置本体部１００と一体形成され、外部の非接触通信媒体２０ａとの間で、非接触で情報の授受を行う無線リーダライタ２００とを備え、装置本体部１００は、カードリーダ（カードリーダライタ１００ａ）と無線リーダライタ２００とを切り替えてポイント管理を行う制御部（ＭＰＵ１１５）、を有する。【選択図】図２
2014160388.tif 000002
【特許請求の範囲】
【請求項１】
ポイントカードの固有の情報を読み取るカードリーダを備えた装置本体部と、前記装置本体部と一体形成され、外部の非接触通信媒体との間で、非接触で情報の授受を行う無線リーダライタとを備え、
前記装置本体部は、
前記カードリーダと無線リーダライタとを切り替えてポイント管理を行う制御部、を有することを特徴とするポイント管理装置。
【請求項２】
表示部を更に有し、
前記表示部を構成する複数の画素を駆動する画素基板に、前記無線リーダライタを構成するアンテナを含む無線回路を形成することを特徴とする請求項１記載のポイント管理装置。
【請求項３】
前記アンテナを含む無線回路は、
前記画素基板と、前記画素基板に対向して設けられるガラス電極基板との間に封入される液晶層の下に形成されることを特徴とする請求項２記載のポイント管理装置。
【請求項４】
前記制御部は、
前記無線リーダライタに切り替えてポイント管理を行う場合、前記表示部に、前記非接触通信媒体を内蔵する携帯端末を翳す位置の案内枠を表示することを特徴とする請求項２記載のポイント管理装置。
【請求項５】
前記制御部は、
前記表示部に文字による案内表示を行う際に、前記文字の方向を逆転させて表示することを特徴とする請求項２〜４のいずれか１項記載のポイント管理装置。
【請求項６】
前記制御部は、
前記非接触通信媒体との間の通信が正常終了して前記ポイントが更新されたことを検出すると、前記表示部に表示される前記文字による案内表示の色を変化させることを特徴とする請求項２〜５のいずれか１項記載のポイント管理装置。
【発明の詳細な説明】
【技術分野】
【０００１】
本発明は、商品やサービスの購入金額に応じて付与されるポイントを管理する、ポイント管理装置に関するものである。
【背景技術】
【０００２】
従来、商品やサービスの購入金額に応じてポイントを付与し、そのポイントを一定の割合で購入金額に充当することができ、あるいは、所定のポイント毎に商品等と交換できる、いわゆるポイントサービスが行われている。
【０００３】
このポイントサービスには、従来、リライトカードが主に用いられていた。リトライカードをポイントカードに利用することにより、ポイントカード上に現在のポイントやポイントの有効期限等を書き換えることができる。したがって、リライトカードを用いたポイントサービスは、多くの利用者にとって分りやすく、簡単に利用可能である。
【０００４】
このリライトカードに代表される接触式カードと、例えば、ＲＦＩＤ（Radio  Frequency  IDentification）チップが搭載された非接触式カードの両方を読み取り可能で、かつ、書き換え可能なカードリーダライタが、例えば、特許文献１に紹介されている。
【先行技術文献】
【特許文献】
【０００５】
【特許文献１】特開平１１−２８２９７６号公報
【発明の概要】
【発明が解決しようとする課題】
【０００６】
一方、近年、スマートフォン等に代表される多機能の携帯端末装置が普及するにしたがい、携帯端末装置を利用したポイントサービスが試行されるようになった。携帯端末装置を利用することにより、現在保有しているポイントやポイントの有効期限等のデータを携帯端末装置に送信して表示させることができ、リライトカードを用いる場合と同様なサービスを提供できる。また、このような携帯端末装置を用いる場合には、メール配信サービス等、さらなるサービスを付加することも容易であるという利点がある。
【０００７】
このように、従来のポイントサービスは、上記したリライトカードによるものが主流であり、集積された顧客データを元にＣＲＭ（Customer  Relationship  Management）の推進がはかられてきた。一方で、携帯端末装置の普及につれ、非接触通信媒体を内蔵した携帯端末装置によるポイントサービスの運用が増えつつある。現状、リライトカードによる運用と、携帯端末装置による運用とではその仕組みが異なることから、事業者サイドで２種類のサービスシステムを個別に構築し、運用がなされていた。しかしながら、携帯端末装置は全ての顧客が所有しているものではなく、また、それを使いこなせない顧客が多い。したがって、携帯端末装置を使用したポイントサービスのみで運用すると、当該ポイントサービスを利用できない顧客が多数発生してしまうという問題があった。
【０００８】
したがって、ポイントカードと携帯端末装置との両方を選択的に利用可能なポイント管理装置の出現が望まれている。これを実現するためには、無線リーダライタを、カードリーダを備えるポイント管理装置本体（以下、単に装置本体という）に内蔵させ、またはケーブルを介して接続し、装置本体が、カード用リーダと無線リーダライタとを切り替えてポイント管理を行うことが考えられる。しかしながら、装置本体に無線リーダライタを内蔵させる構成をとれは、装置の小型化の観点で新たな問題が発生し、一方、無線リーダライタをポイント管理装置本体に接続する構成をとれば、店舗等で装置の設置スペースを多く必要とする等の問題が新たに発生する。
【０００９】
本発明は上記した課題を解決するためになされたものであり、装置本体の小型化とともに設置スペースの削減を図ったポイント管理装置を提供することを目的とする。
【課題を解決するための手段】
【００１０】
上記した課題を解決するために、本発明のポイント管理装置は、ポイントカードの固有の情報を読み取るカードリーダを備えた装置本体部と、前記装置本体部と一体形成され、外部の非接触通信媒体との間で、非接触で情報の授受を行う無線リーダライタとを備え、前記装置本体部は、前記カードリーダと無線リーダライタとを切り替えてポイント管理を行う制御部、を有することを特徴とする。
【００１１】
本発明によれば、カードリーダを備えた本体と無線リーダライタとが一体形成されるため、ポイント管理装置としての小型化がはかれ、また、外付けされる無線リーダライタ、およびその無線リーダライタを接続するためのケーブル等が不要になるためコンパクト化され、店舗等における設置スペースの削減が可能になる。
【００１２】
本発明において、表示部を更に有し、前記表示部を構成する複数の画素を駆動する画素基板に、前記無線リーダライタを構成するアンテナを含む無線回路を形成することを特徴とする。本発明によれば、画素基板にアンテナを含む無線回路を形成することで部品実装空間のコンパクト化が図れ、装置本体の小型化に寄与することができる。
【００１３】
本発明において、前記アンテナを含む無線回路は、前記画素基板と、前記画素基板に対向して設けられるガラス電極基板との間に封入される液晶層の下に形成されることを特徴とする。本発明によれば、表示部として液晶パネルを用い、画素基板とガラス電極基板との間に封入される液晶層の下にアンテナを含む無線回路を形成することで基板実装面積の減少を図ることができ、装置本体の小型化に寄与することができる。
【００１４】
本発明において、前記制御部は、前記無線リーダライタに切り替えてポイント管理を行う場合、前記表示部に、前記非接触通信媒体を内蔵する携帯端末を翳す位置の案内枠を表示することを特徴とする。本発明によれば、利用者は、無線リーダライタの実装位置を意識することなく、表示部に表示された案内枠にしたがって携帯端末装置を翳すことができる。
【００１５】
本発明において、前記制御部は、前記表示部に文字による案内表示を行う際に、前記文字の方向を逆転させて表示することを特徴とする。本発明によれば、利用者に向かって正転された文字を表示することにより文字による案内についての視認性が高まり利便性を提供できる。
【００１６】
本発明において、前記制御部は、前記非接触通信媒体との間の通信が正常終了して前記ポイントが更新されたことを検出すると、前記表示部に表示される前記文字による案内表示の色を変化させることを特徴とする。本発明によれば、ポイント更新が終了したタイミングで案内表示の色が変化するため、利用者ならびに店員は、文字の色を確認することによりポイント更新処理が正常終了したことを知ることができ利便性が高まる。
【発明の効果】
【００１７】
本発明によれば、装置本体の小型化とともに設置スペースの削減を図ったポイント管理装置を提供することができる。
【図面の簡単な説明】
【００１８】
【図１】本発明の実施の形態に係るポイント管理装置の外観構成を示す略図である。
【図２】本発明の実施の形態に係るポイント管理装置の電気系の内部構成を示すブロック図である。
【図３】図２のデータメモリのデータ構造の一例を示す図である。
【図４】本発明の実施の形態に係るポイント管理装置の基板実装構造の略図である。
【図５】本発明の実施の形態に係るポイント管理装置の動作を示すフローチャートである。
【図６】図１，図２の表示部に表示される画面構成の一例を示す図である。
【発明を実施するための形態】
【００１９】
以下、添付図面を参照して本発明を実施するための実施の形態（以下、単に実施形態という）について詳細に説明する。
【００２０】
（実施形態の構成）
図１は、本実施形態に係るポイント管理装置１の外観構成を示す略図である。図１において、装置本体部１００は、ポイントカード１０に記録された固有の情報を読み取り、かつ記録されたポイントを更新可能なカードリーダライタ１００ａを内蔵する。装置本体部１００は、後述するように、カードリーダライタ１００ａと無線リーダライタ２００のいずれを用いてポイント処理を行うかを制御する。なお、ここでいう「ポイント処理」とは、ポイントカード１０に記録された固有の情報（ＩＤ）とポイントデータとを読み取り、購入金額に応じて新たに付与されるポイントに基づき、ポイントカード１０に記録されたポイントデータを更新する処理をいう。
【００２１】
このため、カードリーダライタ１００ａのカード挿入口１０５の近傍には、ポイントカード１０が挿入されたことを検知するカードセンサ１０５ａが実装されている。装置本体部１００は、不図示のキャッシュレジスター（図２の３５０）にケーブル１０１を介して有線接続されている。装置本体部１００には、更に、無線リーダライタ２００（点線枠表示）も内蔵されている。無線リーダライタ２００は、後述するようにアンテナを含む無線回路からなり、固有の情報が記録されたＲＦＩＤタグチップ２０ａ等の非接触記録媒体を有する携帯端末装置２０との間で無線通信により非接触で情報の授受を行なうことでポイント処理を行う。
【００２２】
ここでいう「ポイント処理」とは、携帯端末装置２０が内蔵するメモリの一部にポイントデータを記憶し、購入金額に応じて新たに付与されるポイントに基づきＲＦＩＤタグチップ２０ａに記録されたポイントデータを更新する処理をいう。
【００２３】
無線リーダライタ２００は、ＲＦＩＤタグチップ２０ａが内蔵された携帯端末装置２０等との間で無線通信により非接触で情報の授受を行う。このとき、携帯端末装置２０は、店頭で、又は、通信回線を利用して利用者自らが、予めポイントサービスの利用を可能にするための登録や、必要なアプリケーションの設定等の利用環境を済ましているものとする。
【００２４】
装置本体部１００は、操作部１０３と、表示部１０４とを入出力装置として有する。操作部１０３は、「０」〜「９」までの数字キー、点検キー、交換キー、販売キー、合計キー、訂正キーの他に、ポイント処理がポイントカード１０によるものか、あるいはＲＦＩＤタグチップ２０ａ内蔵の携帯端末装置２０によるものかを選択する「モード選択キー」を有している。また、これらのキーには、文字入力に用いるキー割り当てもなされている。操作部１０３は、これら各種キーを備えることにより、ポイント利用者の情報登録等に用いられる。
【００２５】
表示部１０４は、ユーザが操作部１０３を用いた入力操作を行っているとき等に各種情報を表示するＬＣＤ（Liquid  Crystal  Display）パネル等を表示デバイスとして用いたディスプレイ装置である。また、表示部１０４は、ポイント処理が、ポイントカード１０によるものか携帯端末装置２０によるものかを示す操作モード（カードモード／無線モード）等の案内表示、価格等の販売商品情報、およびそのときに付与されるポイントについても表示する。本実施形態において特徴的には、この表示部１０４と上述した無線リーダライタ２００とが、基板上で一体形成されたことにある。詳細は後述する。
【００２６】
ポイント管理装置１の電気系の内部構成が図２に示されている。装置本体部１００は、上記したカードリーダライタ１００ａ、操作部１０３、表示部１０４の他に、通信部１０９を周辺デバイスとして備えている。通信部１０９は、キャッシュレジスター３５０との間で、例えば、ＲＳ２３２Ｃによるシリアルデータ通信を行う。キャッシュレジスター３５０は、商品名、価格、数量、販売日時等の販売実績を収集可能な会計処理機であり、商品の価格等をケーブル１０１経由で装置本体部１００へ伝えることができるように構成されている。また、キャッシュレジスター３５０は、会計時にポイントを利用する場合には、利用するポイントに関する情報を装置本体部１００から受け取り、会計処理に反映できるように構成されている。なお、キャッシュレジスター３５０は、ネットワーク接続環境を有するＰＣ（Personal  Computer）の機能を有するＰＯＳ（Point  Of  Sale）レジスターで代替してもよい。
【００２７】
カードリーダライタ１００ａは、カードセンサ１０５ａと、サーマルヘッド１０６と、磁気ヘッド１０７と、駆動ローラ１０８と、制御部１１０とから構成される。ポイントカードによりポイント処理を行う「カードモード」時には、店員がカード挿入口１０５にポイントカード１０を挿入することによりポイント処理が行なわれる。なお、ポイント処理が終了した後は、このカード挿入口１０５からポイントカード１０が排出される。一方、スマートフォン等、ＲＦＩＤタグチップ２０ａを内蔵した携帯端末装置２０を使用してポイント処理を行う「無線モード」時には、利用者がＲＦＩＤタグチップ２０ａを内蔵した携帯端末装置２０を無線リーダライタ２００に載置することで無線通信によるポイント処理が行なわれる。
【００２８】
カードセンサ１０５ａは、カード挿入口１０５近傍の内部に設けられており、カード挿入口１０５に挿入されたポイントカード１０を、例えば、光学的に検出する光センサである。カードセンサ１０５ａは、マイクロスイッチあるいは機械的スイッチで代替してもよい。サーマルヘッド１０６は、ポイントカード１０のリライト印刷領域を加熱することにより、今回ポイントや累積ポイントやポイント有効期限等を書き換える。ポイントカード１０のリライト印刷領域には、所定の薬品が塗布されており、サーマルヘッド１０６により、所定温度の熱を加えることにより、繰り返し、消去、書き換えが可能である。なお、サーマルヘッド１０６は、ロイコ式、及び、白濁式のいずれのリライト印刷の方式にも対応可能である。磁気ヘッド１０７は、ポイントカード１０の磁気記録部に対して固有の情報の読み取りを行う。駆動ローラ１０８は、不図示のモータから駆動力を得てポイントカード１０の搬送を行うローラである。駆動ローラ１０８は、不図示の従動ローラに対向して動作し、従動ローラは、ポイントカード１０の磁気ストライプ部分が磁気ヘッド１０７に密着して、記録または再生の一方に不具合が生じないように配置されている。なお、サーマルヘッド１０６を２つ設けこることにより、リライト印字領域の消去と書き換えを別々に行うことができる。
【００２９】
制御部１１０は、ヘッド駆動回路１１１と、記録再生駆動回路１１２と、ローラ駆動回路１１３と、データメモリ１１４と、ＭＰＵ（Micro  Processor  Unit）１１５と、ＲＯＭ（Read  Only  Memory）１１６と、ＲＡＭ（Random  Access  Memory）１１７と、データバス１１８とを備えている。制御部１１０は、ＭＰＵ１１５が、ＲＯＭ１１６に記録されたプログラムを逐次読み出し実行することにより、カードリーダライタ１００ａによるポイントカード１０のリードライトを制御する他に、カードリーダライタ１００ａと無線リーダライタ２００のいずれを用いてポイント処理を行うかを制御する。
【００３０】
具体的に、ＭＰＵ１１５は、カードリーダライタ１００ａのカード挿入口１１５ａ近傍に設けられたカードセンサ１０５ａが、カード挿入口１０５にポイントカード１０が挿入されたことを検知すると、カードリーダライタ１００ａを用いたポイント処理を選択し、カードリーダライタ１００ａによるポイントカード１０の読み取りおよび書き込み動作を有効にする。一方、無線リーダライタ２００における携帯端末装置２０のタッチ面に翳されたこと検出すると、無線リーダライタ２００を用いたポイント処理を選択し、無線リーダライタ２００が内蔵する無線回路２０１によるＲＦＩＤタグチップ２０ａの読み取りおよび書き込み動作を有効にする。
【００３１】
カードリーダライタ１００ａを用いたポイント処理が選択されると、ＭＰＵ１１５は、ポイントカード１０から固有の情報（ＩＤ）を読み取り、読み取りが成功すると、ポイントカード１０に記録されている累計ポイントに、購入金額に応じて新たに付与されるポイントを加算して累計ポイントを更新するポイント付与処理を実行する。また、無線リーダライタ２００を用いたポイント処理が選択されると、ＭＰＵ１１５は、携帯端末装置２０との間で非接触通信を行い、携帯端末装置２０が内蔵するＲＦＩＤタグチップ２０ａから固有の情報を読み取り、読み取りが成功すると、ＲＦＩＤタグチップ２０ａに記録されている累計ポイントに、購入金額に応じて新たに付与されるポイントを加算して累計ポイントを更新するポイント付与処理を実行する。
【００３２】
また、ＭＰＵ１１５は、無線リーダライタ２００に切り替えてポイント管理を行う場合、表示部１０４に、ＲＦＩＤタグチップを内蔵する携帯端末を翳す際の案内枠を表示するように表示部１０４を駆動して表示制御を行う。これにより、利用者は、無線リーダライタ２００の実装位置を意識することなく、表示部１０４に表示された案内枠にしたがい携帯端末装置２０を翳すことができる。ＭＰＵ１１５は、表示部１０４に文字による案内表示を行う際に、当該文字を逆転表示するように表示部１０４を駆動制御する。これにより、利用者に向かって正転された文字を表示することができる。また、ＭＰＵ１１５は、ＲＦＩＤタグチップ２０ａとの間の通信が正常終了してポイントが更新されたことを検出すると、表示部１０４に表示される文字等による案内表示の色を変化させるように表示制御を行う。したがって、利用者ならびに店員は、表示部１０４に表示される文字等の色を確認することによりポイント更新処理が正常終了したことを知ることができる。
【００３３】
なお、ＲＡＭ１１７にはプログラム実行過程でＭＰＵ１１５により生成される各種データが記憶される。例えば、ポイントカード１０に印刷すべき、または、携帯端末装置２０に送信すべきポイントに関する各種データが格納される。
【００３４】
無線リーダライタ２００は、無線回路２０１と、アンテナ２０２とを含む。無線回路２０１は、携帯端末装置２０が内蔵するＲＦＩＤタグチップ２０ａのアンテナとの間で無線による信号を授受するために必要な電波を生成し、変調あるいは復調してアンテナ２０２を介して送受信する。この無線リーダライタ２００の基板への実装形態については後述する。
【００３５】
ヘッド駆動回路１１１は、ＭＰＵ１１５による制御の下で、サーマルヘッド１０６に対して印刷動作を行わせる。記録再生駆動回路１１２は、磁気ヘッド１０７に対し、ポイントカード１０のデータの読み取りや書き込みを行わせる。ローラ駆動回路１１３は、駆動ローラ１０８を駆動させる。
【００３６】
データメモリ１１４には、例えば、図３にそのデータ構造の一例を示すように、ポイントを含む会員データが記憶される。会員データは、「会員Ｎｏ．」と「有効期限」と、「最終利用日」と、「今回ポイント」と、「累計ポイント」とをデータフィールドとして持つ。「会員Ｎｏ．」は、会員毎に割り振られる固有の番号（ＩＤ）である。ポイントカード１０、および携帯端末装置２０（ＲＦＩＤタグチップ２０ａ）には、少なくともこの「会員Ｎｏ．」に相当するＩＤが格納されており。このＩＤにポイントのデータを紐付けている。「有効期限」は、会員が有するポイントの有効期限である。「最終利用日」は、直近で最後にポイントサービスを利用した年月日である。「今回ポイント」は、直近で最後にポイントサービスを利用したときに紐付けられたポイントである。「累計ポイント」は、現在までに蓄積されたポイントの総額である。
【００３７】
説明を図２に戻す。データバス１１８は、ＭＰＵ１１５の内部バスであり、この内部バスには、ＲＯＭ１１６，ＲＡＭ１１７は勿論のこと、カードリーダライタ１００ａを構成する、カードセンサ１０５ａ、ヘッド駆動回路１１１，記録再生駆動回路１１２，ローラ駆動回路１１３，データメモリ１１４の他に、操作部１０３、表示部１０４、通信部１０９、そして、無線リーダライタ２００も接続されている。電源回路１１９は、外部から商用のＡＣ電源を得て、装置本体部１００（ポイント管理装置１）を構成する電気部品の全てに対して動作に必要な電力を供給する回路である。
【００３８】
図４に、本実施形態に係るポイント管理装置１の基板実装構造の略図が示されている。図４において、図１，図２と同じ番号が付された構成部品は、図１，図２に示す構成部品と同じ名称および機能を有するものとする。図４によれば、本実施形態に係るポイント管理装置１は、制御基板１５０と、画素基板３００と、入力基板４００と、電源基板５００とにより構成される。制御基板１５０には、図２に示すＭＰＵ１１５他、ＲＯＭ１１６，ＲＡＭ１１７，カードセンサ１０５ａ，ヘッド駆動回路１１１、記録再生駆動回路１１２、ローラ駆動回路１１３、データメモリ１１４が構成部品として実装されている。入力基板４００には、操作部１０３を構成するキースイッチ群が実装され、また、電源基板５００には、図２に示す電源回路１１９がそれぞれ実装されている。
【００３９】
画素基板３００には、ＬＣＤパネル３００ａを表示デバイスとして有する表示部１０４と、無線リーダライタ２００とが実装されている。画素基板３００の表示領域内には、画素電極３０１と薄膜トランジスタ３０３（ＴＦＴ：Thin Film Transistor）が形成されている。また、この画素基板３００と対向する位置にはガラス電極基板３０２が配置され、これら基板３００，３０２間にＬＣＤ材料（液晶層３１０）を注入封止することでＬＣＤパネル３００ａ（表示部１０４）が形成されている。各ＴＦＴ３０３は、画素基板３００の片面の多結晶シリコン膜を加工することにより形成され、また、ソース信号駆動回路３０４およびゲート信号駆動回路３０５も、画素基板３００の片面の多結晶シリコン膜からなるＴＦＴを用いて構成される。
【００４０】
ソース信号駆動回路３０４は、ソース信号線３０６を介して各ＴＦＴ３０３のソース電極に接続され、また、ゲート信号駆動回路３０５は、ゲート信号線３０７を介して各ＴＦＴ３０３のゲート電極に接続されている。ソース信号駆動回路３０４およびゲート信号駆動回路３０５への制御信号や電力等は、コネクタよび配線３０８を介して供給される。ソース信号駆動回路３０４およびゲート信号駆動回路３０５は、コネクタよび配線３０８を介して供給される制御信号に応答して、ソース信号線３０６およびゲート信号線３０７を介して各ＴＦＴ３０３を駆動制御し、各画素電極３０１の電圧を制御して、各画素電極３０１とガラス電極基板３０２との間でＬＣＤを駆動し、表示画面上に画像を表示させる。
【００４１】
一方、無線回路２０１も画素基板３００片面の多結晶シリコン膜からなるＴＦＴを用いて構成される。このように、無線回路２０１をＬＣＤパネル３００ａの画素基板３００の多結晶シリコン膜を用いて画素基板３００に一体形成していることから、無線回路２０１を、各ＴＦＴ３０３、ソース信号駆動回路３０４、およびゲート信号駆動回路３０５と同時形成が可能である。なお、無線回路２０１だけではなく、アンテナ２０２も画素基板３００の導体薄膜を用いて画素基板３００に一体形成している。このように、ＬＣＤパネル３００ａの駆動回路を構成するＴＦＴ３０３を形成する工程で、同時にアンテナ２０２を含む無線回路２０１からなる無線リーダライタ２００もＴＦＴによって構成する。なお、無線回路２０１への制御信号や電力等は、コネクタよび配線３０９を介して供給される。
【００４２】
このように、本実施形態に係るポイント管理装置１では、ＬＣＤパネル３００ａの複数の画素を駆動する画素基板３００上に、無線リーダライタ２００を構成するアンテナ２０２を含む無線回路２０１を一体形成している。このことにより、コンパクト実装が可能になり、装置本体部１００の小型化に寄与することができる。ここで、ＬＣＤパネル３００ａを構成するＴＦＴと、無線回路２０１を構成するＴＦＴは、基本的に同様の構成のＴＦＴとして良く、このため、製造工程も簡略化される。
【００４３】
（実施形態の動作）
以下、図５のフローチャートを参照して図１，図２に示す本実施形態に係るポイント管理装置１の動作について詳細に説明する。
【００４４】
まず、ＭＰＵ１１５は、ステップＳ１１０で、操作部１０３に割り当てたモード選択キーによる操作モード（カードモード／無線モード）の選択状態を確認する。モード選択キーによりポイントカードモードが選択されていれば（ステップＳ１１０“ポイントカードモード”）、ステップＳ１１１の処理へ進む。一方、モード選択キーにより無線モードが選択されていれば（ステップＳ１１０“無線モード”）、ステップＳ１１９の処理へ進む。ステップＳ１１１において、ＭＰＵ１１５は、表示部１０４に「ポイントカード」と表示を行なうとともに、例えば、図６（ａ）に示すカード挿入のための案内表示を行う。ステップＳ１１２において、ＭＰＵ１１５は、カード挿入口に１０５にポイントカード１０が挿入されたか否かをカードセンサ１０５ａからの出力に基づき判断する。カード挿入口１０５にポイントカード１０が挿入された場合には（ステップＳ１１２“Ｙｅｓ”）、ステップＳ１１３の処理へ進み、カード挿入口１０５にポイントカード１０が挿入されていない場合には（ステップＳ１１２“Ｎｏ”）、ステップＳ１１２の判断処理を繰り返し実行する。
【００４５】
ステップＳ１１３において、ＭＰＵ１１５は、ポイントカード１０から磁気ヘッド１０７を用いてＩＤ（会員Ｎｏ）の読み取りに成功したか否かの判断を行う。ＩＤ読み取りに成功した場合には（ステップＳ１１３“Ｙｅｓ”）、ステップＳ１１４の処理に進む。ＩＤ読み取りに失敗した場合には（ステップＳ１１３“Ｎｏ”）、ステップＳ１１８の処理に進み、ステップＳ１１８でエラー処理を行った後、ステップＳ１１７の処理へ進む。
【００４６】
ステップＳ１１４において、ＭＰＵ１１５は、ポイント処理を行う。例えば、商品購入金額の合計が１０００円、ポイントの付与率が合計額の１０％であったとする。この場合、ＭＰＵ１１５は、キャッシュレジスター３５０から商品購入金額の合計額が１００円であることを示すデータをケーブル１０１経由で受信する。ＭＰＵ１１５は、この１０００円に１０％を掛けて、今回ポイントとして１００ポイントとする演算結果を得る。また、それまでの累計ポイントに今回ポイントを加えて新たな累計ポイントを算出する。
【００４７】
ステップＳ１１５において、ＭＰＵ１１５は、サーマルヘッド１０６に対して、新たに、今回ポイントやポイント有効期限の印刷を行わせる。続いてステップＳ１１６において、ＭＰＵ１１５は、データメモリ１１４の該当する会員のデータを新たなポイントデータにより更新する。そして、ステップＳ１１７において、ＭＰＵ１１５は、ポイントカード１０を排出させる。
【００４８】
一方、ステップＳ１１９において、ＭＰＵ１１５は、表示部１０４に「無線」と表示を行うと共に、例えば、図６（ｂ）に示す案内表示を行う。すなわち、案内文字「携帯端末装置を枠に置いてください」を、利用者の側から読み易いように文字の方向を逆転させて表示し、同時に、利用者が携帯端末装置２０を翳すための位置を案内する枠Ｆ（図中、点線表記）の表示も行う。
【００４９】
ステップＳ１２０では、ＭＰＵ１１５は、無線リーダライタ２００により携帯端末装置２０との無線通信が成功したか否かの判断を行う。利用者が携帯端末装置２０を無線リーダライタ２００に適切に翳すことにより通信が成功した場合には（ステップＳ１２０“Ｙｅｓ”）、ステップＳ１２１の処理へ進む。一方、利用者が携帯端末装置２０を無線リーダライタ２００に適切に翳していない等により通信が成功していない場合には（ステップＳ１２０“Ｎｏ”）、ステップＳ１２０の判断処理を繰り返し実行する。
【００５０】
ステップＳ１２１において、ＭＰＵ１１５は、携帯端末装置２０から無線通信によりＩＤ（会員Ｎｏ．）の読み取りに成功したか否かの判断を行う。ＩＤ読み取りに成功した場合には（ステップＳ１２１“Ｙｅｓ”）、ステップＳ１２２の処理へ進む。ＩＤ読み取りに成功していない場合には（ステップＳ１２１“Ｎｏ”）、ステップＳ１２７の処理へ進み、このステップＳ１２７でエラー処理を行った後、上記した一連の処理を終了する。続いて、ステップＳ１２２においてＭＰＵ１１５はポイント処理を行う。この処理は上記と同様である。
【００５１】
ステップＳ１２３において、ＭＰＵ１１５は、スマートフォン等の携帯端末装置２０に対して今回ポイントやポイント有効期限等のポイントデータの更新を行う。続いて、ステップＳ１２４において、ポイントや有効期限更新の終了を検知すると（ステップＳ１２４“Ｙｅｓ”）、ＭＰＵ１１５は、ステップＳ１２５の処理に進み、このステップＳ１２５で図６（ｂ）にハッチングして示すように、案内文字（価格）表示の文字色を変更する処理を行う。この文字色の変更により、店員や利用者は、正しく通信が行われてポイントやポイント有効期限等のポイントデータが更新されたことを認知することができる。この処理により携帯端末装置２０（ＲＦＩＤタグチップ２０ａ）が最新のポイントデータを格納することになり、利用者は、専用のアブリケーションを利用することにより、保有しているポイントに関するデータを何時でも閲覧することができる。
【００５２】
最後にステップＳ１２６において、ＭＰＵ１１５は、データメモリ１１４の該当する会員のデータを、新たなポイントデータにより更新する。
【００５３】
なお、本実施形態に係るポイント管理装置１によれば、携帯端末装置２０として、所謂、スマートフォンを例示した。これに限らず、例えば、フューチャーフォンと呼ばれるタイプの従来からある携帯電話であってもよく、携帯可能で無線リーダライタ２００と通信可能な非接触記録媒体を内蔵する機種であればどのようなタイプであってもよい。また、本実施形態に係るポイント管理装置１によれば、表示部１０４としてＬＣＤパネル３００ａを用いたが、ＬＣＤパネル３００ａに限らず、ＥＬ（Electro-Luminescence）、ＯＬＥＤ（Organic Light Emitted Diode）、プラズマ発光装置等のフラットパネルディスプレイ全般への適用が可能である。さらにスマートフォンを表示部１０４に置いた時に、滑らないようにするために表示部１０４を水平に位置させることが好ましい。
【００５４】
また、本実施形態に係るポイント管理装置１によれば、ポイント管理装置１には、キャッシュレジスター３５０が接続されており、キャッシュレジスター３５０から合計金額のデータを受け取る例を挙げて説明した。これに限らず、例えば、ポイント管理装置１は、キャッシュレジスター３５０が接続されていないスタンドアロンの形態であってもよい。この場合、店員は、合計金額を装置本体部１００の操作部１０３から入力すればよい。また、ポイントに関する各種データを格納するデータメモリ１１４は、装置本体部１００に内蔵されるものとして説明した。これに限らず、例えば、装置本体部１００を、ネットワーク接続環境を有するＰＣ（Personal Computer）を基本構成として持つＰＯＳレジスター、あるいはバックヤードに備え付けの店舗端末４００経由でＩＰ（Internet Protocol）網等のネットワークに接続して、不図示のポイント管理サーバ等を使用することによってポイントを管理する構成であってもよい。
【００５５】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５６】
１０…ポイントカード、２０…携帯端末装置、２０ａ…ＲＦＩＤタグチップ、１０４…表示部、１５０…制御基板、２００…無線リーダライタ、２０１…無線回路、２０２…アンテナ、３００…画素基板、３００ａ…ＬＣＤパネル、３０１…画素電極、３０２…ガラス電極基板、３０３…薄膜トランジスタ、３０４…ソース信号駆動回路、３０５…ゲート信号駆動回路、３０６…ソース信号線、３０７…ゲート信号線、３０８，３０９…コネクタおよび配線、３１０…液晶層
【図１】
2014160388.tif 000003
【図２】
2014160388.tif 000004
【図３】
2014160388.tif 000005
【図４】
2014160388.tif 000006
【図５】
2014160388.tif 000007
【図６】
2014160388.tif 000008